(57)【要約】      （修正有）【課題】既設のトイレットペーパーホルダーの蓋部の先端を挟み込んで、ロール状トイレットペーパーを任意の場所で下方に引くだけで切り取り易くしたトイレットペーパーホルダー付属品を提供する。【解決手段】既設のトイレットペーパーホルダーの蓋部１の先端を挟み込んで、当該部位に装着されるトイレットペーパーホルダーの付属品であり、トイレットペーパーホルダーの蓋部の先端を挟み込む上面板状部１４及び下面板状部１５からなるコ字型の差込部と、ロール状トイレットペーパー７の先端部を誘導する開口部８及びペーパーガイド部１０からなる本体先端部１８で構成されており、下面板状部の外面に防滑部を有し、開口部はロール状トイレットペーパーの先端部を誘導し、ペーパーガイド部は最先端部にロール状トイレットペーパーを切断する切断刃９を有する。【選択図】図８
0003192862.tif 000002
【実用新案登録請求の範囲】
【請求項１】
既設のトイレットペーパーホルダーの蓋部（１）の先端を挟み込んで、当該部位に装着されるトイレットペーパーホルダーの付属品であり、当該付属品は、トイレットペーパーホルダーの蓋部（１）の先端を挟み込む上面板状部（１４）及び下面板状部（１５）からなるコ字型の差込部（１１）と、ロール状トイレットペーパーの先端部（１９）を誘導する開口部（８）及びペーパーガイド部（１０）からなる本体先端部（１８）で構成されており、下面板状部（１５）の外面にロール状トイレットペーパー（７）と接し、ペーパーの滑り防止機能を有する防滑部（１２）を有し、開口部（８）はロール状トイレットペーパーの先端部（１９）をトイレットペーパーホルダー側からペーパーガイド部（１０）側に誘導し、ペーパーガイド部（１０）は、その最先端部にロール状トイレットペーパー（７）を切断する切断刃（９）を有することを特徴とするトイレットペーパーホルダーの付属品。
【請求項２】
本体先端部（１８）と差込部（１１）が１箇所で結合され、それを支点軸（１７）として差込部から本体先端部が回転方向（２３）に開閉動作できる構造を有する請求項１に記載のトイレットペーパーホルダーの付属品。
【考案の詳細な説明】
【技術分野】
【０００１】
本考案は、壁面等に取付けてある既設のトイレットペーパーホルダーの蓋部の先端を挟み込んで、その先端部位に装着され、ロール状トイレットペーパーを任意の場所で下方に引くだけで切り取り易い構造を有するトイレットペーパーホルダーの付属品に関する。
【背景技術】
【０００２】
図１２及び図１３に示すように、従来のトイレットペーパーホルダー（２２）では、ロール状トイレットペーパーの先端部（１９）を掴むときに蓋部（１）を持ち上げ、ロール状トイレットペーパー（７）を切断するときに片手で蓋部（１）を上から押さえ、他方の手でロール状トイレットペーパー（７）を引き上げて蓋部切断刃（２０）で切るのが一般的であった。
【０００３】
片方の手が不自由な人が容易にロール状トイレットペーパーを引出して切断することができるロールペーパーホルダーが提案されている（特許文献１）。このロールペーパーホルダーでは、その蓋体に設けられた片方が開放された通し部にロール状トイレットペーパーを下方から通し、蓋体の延設部の先端から垂下したロール状トイレットペーパーを、下方ホルダー側に引っ張って延設部先端に延設された切断歯部で切断している。
【先行技術文献】
【特許文献】
【０００４】
【特許文献１】特開２０１０−５１７６７号公報
【考案の概要】
【考案が解決しようとする課題】
【０００５】
既設のトイレットペーパーホルダーでは、使用時に蓋部切断刃で切断するために、ロール状トイレットペーパーの先端は蓋の下に隠れてしまうので、次の使用時に蓋を持ち上げて、その先端を引き出し、ロール状トイレットペーパーを切断する際には、蓋を上から手で押え付ける必要があり、使用動作が煩雑であり、かつ不衛生であった。また、ロール状トイレットペーパーの先端部分が本体部分と密着して取り難いこともあった。さらに、ロール状トイレットペーパーを切断する際は、ロール状トイレットペーパーを引き上げなければならず、背の低い子供にとっては使い辛いものであり、ロール状トイレットペーパーの交換時や使用時には両手を使わなければならず、手の不自由な人には使い辛いものであった。
【０００６】
特許文献１に記載されたロールペーパーホルダーでは、ロール状トイレットペーパーを片方が開放された通し部に下方から通し、蓋体の延設部先端から垂下した状態で下方ホルダー側に引っ張って切断しているので、引っ張る際に、ロール状トイレットペーパーが通し部の開放側に寄ってしまい、切断する際に余分な力を必要としている。又、一方が解放された通し部になっていることにより、引っ張る際に他方の閉じた通し部の１箇所で生じる負荷を受け止めることになる。
【０００７】
本考案は、壁面等に取付けてある既設のトイレットペーパーホルダーの蓋部の先端を挟み込んで、その先端部位に装着され、ロール状トイレットペーパーを任意の場所で下方に引くだけで切り取り易い構造を有するトイレットペーパーホルダーの付属品を提供することを目的とする。
【課題を解決するための手段】
【０００８】
本考案は、既設のトイレットペーパーホルダーの蓋部（１）の先端を挟み込んで、当該部位に装着されるトイレットペーパーホルダーの付属品であり、当該付属品は、トイレットペーパーホルダーの蓋部（１）の先端を挟み込む上面板状部（１４）及び下面板状部（１５）からなるコ字型の差込部（１１）と、ロール状トイレットペーパーの先端部（１９）を誘導する開口部（８）及びペーパーガイド部（１０）からなる本体先端部（１８）で構成されており、下面板状部（１５）の外面にロール状トイレットペーパー（７）と接し、ペーパーの滑り防止機能を有する防滑部（１２）を有し、開口部（８）はロール状トイレットペーパーの先端部（１９）をトイレットペーパーホルダー側からペーパーガイド部（１０）側に誘導し、ペーパーガイド部（１０）は、その最先端部にロール状トイレットペーパー（７）を切断する切断刃（９）を有することを特徴とするトイレットペーパーホルダーの付属品である。
【０００９】
また本考案は、本体先端部（１８）と差込部（１１）が１箇所で結合され、それを支点軸（１７）として差込部から本体先端部が回転方向（２３）に開閉動作できる構造を有する前記のトイレットペーパーホルダーの付属品である。
【考案の効果】
【００１０】
本考案に係るトイレットペーパーホルダーの付属品を、既設のトイレットペーパーホルダーの蓋部（１）の先端を挟み込んで当該部位に装着することにより、使用時にロール状トイレットペーパー（７）の先端はペーパーガイド部（１０）から下方へ垂下しているので、当該先端が掴み易い状態にあり、その先端を軽く下方に引くだけでロール状トイレットペーパー（７）を任意の場所で容易に切り取ることができる。
本考案に係るトイレットペーパーホルダーの付属品を使用すれば、ロール状トイレットペーパー（７）を切り取る際に強い力を必要としないので、背の低い子供や手の不自由な人でも容易に利用することができる。
【図面の簡単な説明】
【００１１】
【図１】本考案の付属品の斜視図である。
【図２】本考案の付属品の正面図である。
【図３】本考案の付属品の底面図である。
【図４】本考案の付属品において、本体先端部と差込部が１箇所で結合され、それを支点軸として差込部から本体先端部が反時計方向に９０度回転した状態を示す正面図である。
【図５】本考案の付属品において、本体先端部と差込部が１箇所で接合され、それを支点軸として差込部から本体先端部が９０度回転した状態を示す斜視図である。
【図６】従来のトイレットペーパーホルダーにロール状トイレットペーパーを本考案の付属品の使用形態に合うように従来とは逆に取り付けた状態を示す斜視図である。
【図７】従来のトイレットペーパーホルダーにロール状トイレットペーパーを本考案の付属品の使用形態に合うように従来とは逆に取り付けた状態を示す側面図である。
【図８】本考案の付属品をトイレットペーパーホルダーに装着した状態を示す斜視図である。
【図９】本考案の付属品をトイレットペーパーホルダーに装着した状態を示す正面図である。
【図１０】本考案の付属品の使用状態を示す斜視図である。
【図１１】本考案の付属品の使用状態を示す側面図である。
【図１２】従来のトイレットペーパーホルダーにロール状トイレットペーパーを従来の設置方法で取り付けた状態を示す斜視図である。
【図１３】従来のトイレットペーパーホルダーにロール状トイレットペーパーを従来の設置方法で取り付けた状態を示す側面図である。
【考案を実施するための形態】
【００１２】
以下、本考案の実施の形態を図１〜図１３に基づいて説明する。
【００１３】
本考案に係るトイレットペーパーホルダーの付属品は、図１に示されるように、既設のトイレットペーパーホルダーの蓋部の先端を挟み込む上面板状部（１４）及び下面板状部（１５）からなるコ字型の差込部（１１）と、ロール状トイレットペーパーの先端部を誘導する開口部（８）及びペーパーガイド部（１０）からなる本体先端部（１８）で構成される。開口部（８）はロール状トイレットペーパーの先端部をトイレットペーパーホルダー側からペーパーガイド部（１０）側に誘導するものであり、ペーパーガイド部（１０）は、その最先端部にロール状トイレットペーパー（７）を切断する切断刃（９）を有する。図２及び図３に示されるように、下面板状部（１５）の外面にロール状トイレットペーパーと接し、ペーパーの滑り防止機能を有する防滑部（１２）を有する。本体先端部（１８）と差込部（１１）とは一体化されていてもよいが、両者の一端で結合され、他端で嵌め込み接合される構造であってもよい。本体先端部（１８）と差込部（１１）とが一端で結合され、他端で嵌め込み接合される構造である場合、図４に示されるように、結合部（１７）を支点軸として差込部から本体先端部が回転方向（２３）に開閉動作をし、他端の接合部（２１）で嵌め込み接合される。図５は、本考案の付属品において結合部（１７）を支点軸として差込部から本体先端部が反時計方向に９０度回転した状態を示す。
【００１４】
図６及び図７に示されるように、従来のトイレットペーパーホルダーにロール状トイレットペーパーを本考案の付属品の使用形態に合うように従来とは逆に取り付ける。
図８に示されるように、本考案の付属品を従来のトイレットペーパーホルダーの蓋部の先端に装着するには、付属品の上面板状部（１４）及び下面板状部（１５）でトイレットペーパーホルダーの蓋部（１）の先端を挟み込むようにして固定する。
本考案の付属品がトイレットペーパーホルダーに装着され、図９に示されるように、差込部（１１）から本体先端部（１８）が反時計方向に９０度回転した状態で、ロール状トイレットペーパーの先端部（１９）を開口部（８）に入れ、トイレットペーパーホルダー側からペーパーガイド部（１０）側に誘導するのが操作が簡便である。
開口部（８）は、ロール状トイレットペーパーの幅方向の形状を保ったままでペーパーガイド部（１０）側に誘導できる広さで開口しており、本考案の付属品の使用形態における開放部はロール状トイレットペーパーを幅方向に均等に支持することになる。
本考案の付属品がトイレットペーパーホルダーに装着され、ロール状トイレットペーパーの先端部（１９）が当該付属品に誘導された状態が図１０に示されるが、使用時のロール状トイレットペーパーの動きは図１１に示される。
【００１５】
本考案の付属品は、全体が金属製、プラスチック製又は木製であってもよく、例えば、ペーパーガイド部（１０）がプラスチック製又は木製であり、その最先端部の切断刃（９）が金属製であってもよい。
【符号の説明】
【００１６】
１    蓋部
２    蓋部開閉軸
３    軸受
４    側板
５    背板
６    心棒受
７    ロール状トイレットペーパー
８    開口部
９    切断刃
１０    ペーパーガイド部
１１    差込部
１２    防滑部
１３    ロール状トイレットペーパーの最先端部
１４    上面板状部
１５    下面板状部
１６    心棒
１７    結合部（支点軸）
１８    本体先端部
１９    ロール状トイレットペーパーの先端部
２０    蓋部切断刃
２１    接合部
２２    トイレットペーパーホルダー
２３    回転方向
【図１】
0003192862.tif 000003
【図２】
0003192862.tif 000004
【図３】
0003192862.tif 000005
【図４】
0003192862.tif 000006
【図５】
0003192862.tif 000007
【図６】
0003192862.tif 000008
【図７】
0003192862.tif 000009
【図８】
0003192862.tif 000010
【図９】
0003192862.tif 000011
【図１０】
0003192862.tif 000012
【図１１】
0003192862.tif 000013
【図１２】
0003192862.tif 000014
【図１３】
0003192862.tif 000015
【手続補正書】
【提出日】平成26年6月25日(2014.6.25)
【手続補正１】
【補正対象書類名】図面
【補正対象項目名】図１
【補正方法】変更
【補正の内容】
【図１】
0003192862.tif 000016
【手続補正２】
【補正対象書類名】図面
【補正対象項目名】図９
【補正方法】変更
【補正の内容】
【図９】
0003192862.tif 000017
【手続補正３】
【補正対象書類名】図面
【補正対象項目名】図１２
【補正方法】変更
【補正の内容】
【図１２】
0003192862.tif 000018